(57)【要約】【課題】日中でも室内から画像が見づらくなることのない透視可能なデザインシートを提供する。【解決手段】面方向において隠蔽性を有する画像部分１と透視性を有する部分２とが周期的又はランダムに混在してなり、前記透視性を有する部分２のヘーズ（ＪＩＳ  Ｋ７１３６：２０００）が２５〜８０％となるように構成する。好ましくは、前記透視性を有する部分２の近赤外線透過率が、５０％以下となるように構成する。好ましくは、前記透視性を有する部分２の全光線透過率（ＪＩＳ  Ｋ７３６１−１：１９９７）が５０％以上となるように構成する。  【選択図】  図１
2006178129.tif 000002
【特許請求の範囲】
【請求項１】
面方向において隠蔽性を有する画像部分と透視性を有する部分とが周期的又はランダムに混在してなり、前記透視性を有する部分は、ヘーズ（ＪＩＳ  Ｋ７１３６：２０００）が２５〜８０％であることを特徴とする透視可能なデザインシート。
【請求項２】
前記透視性を有する部分の近赤外線透過率が、５０％以下であることを特徴とする請求項１記載の透視可能なデザインシート。
【請求項３】
カーテンと、カーテンの巻き取り機構及び巻き解き機構とを備えてなるロールカーテンにおいて、前記カーテンとして請求項１又は２記載の透視可能なデザインシートを用いてなることを特徴とするロールカーテン。
【発明の詳細な説明】
【技術分野】
【０００１】
本発明は、透視可能なデザインシートおよびそれを用いたロールカーテンにおいて、画像の視認性が良好なものに関する。
【背景技術】
【０００２】
近年、宣伝広告用等のデザインシートとして、隠蔽性を有する画像部分と透視性を有する部分とが混在してなる透視可能なタイプのものがある。このようなデザインシートとしては、一方の面から画像が見えるタイプのもの（特許文献１）や、両方の面から画像が見えるタイプのもの（特許文献２）がある。
【０００３】
一方の面から画像が見えるタイプのものは、画像が見えない側の面からは、透視性を有する部分を通して反対側を見ることができる一方で、画像が見える側の面からは、画像に注意が引きつけられるため反対側を見づらいものであり、タクシーや電車などの交通機関の窓や商店の窓などに貼着されたりしている。
【０００４】
そして、一方の面から画像が見えるタイプのものは、室内のプライバシーを保護するために、画像が室内とは反対側を向くように貼着されていたが、近年、商店などにおいて、画像が室内側を向くように貼着されるケースも出てきている。室内側に画像を向けた場合、室内の者に対しては、広告が良く見えるため室外の者から見られている印象を少なくさせることができ、室外の者に対しては、室内が見えることから、商店の雰囲気が分かり安心して入店できるなどの利点がある。
【０００５】
一方、両方の面から画像を視認できるタイプのものは、両方の面から画像を視認可能とするとともに、若干見づらいものの、両方の面から反対側を見ることを可能とするものであり、タクシーや電車などの交通機関の窓や商店の窓などに貼着されたりしている。
【０００６】
【特許文献１】特開２００２−９６５５１号公報（実施例）
【特許文献２】実開平６−６７７９１号公報（請求項１）
【発明の開示】
【発明が解決しようとする課題】
【０００７】
しかし、上述したような透視可能なデザインシートを、室内側に画像を向けて使用した場合、日中は室内からの画像が見づらくなるという問題が発生した。
【課題を解決するための手段】
【０００８】
本発明者は上記課題を解決すべく鋭意研究した結果、画像部分が見えづらくなっている原因が、透視性を有する部分に室外から外光が入り込み、透視性を有する部分が明るくなることにより、透視性を有する部分（明部）と画像部分（暗部）との明度差が極めて大きくなっていることにあることを見出し、これを解決するに至った。
【０００９】
すなわち、本発明の透視可能なデザインシートは、面方向において隠蔽性を有する画像部分と透視性を有する部分とが周期的又はランダムに混在してなり、前記透視性を有する部分は、ヘーズ（ＪＩＳ  Ｋ７１３６：２０００）が２５〜８０％であることを特徴とするものである。
【００１０】
好ましくは、前記透視性を有する部分の近赤外線透過率が、５０％以下であることを特徴とするものである。
【００１１】
また、本発明のロールカーテンは、カーテンと、カーテンの巻き取り機構及び巻き解き機構とを備えてなるロールカーテンにおいて、前記カーテンとして前記透視可能なデザインシートを用いてなることを特徴とするものである。
【００１２】
なお、本発明でいう近赤外線とは、波長７５０〜２３００ｎｍの光のことをいう。また、本発明でいう近赤外線透過率とは、近赤外線領域における各波長の近赤外線透過率（平行光線および拡散光線をあわせた光線透過率）を算出し、これを平均化した値のことをいう。
【発明の効果】
【００１３】
本発明の透視可能なデザインシートおよびロールカーテンは、透視性を有する部分の光学特性を特定のものとしたことから、透視性を備えつつ、画像を室内側に向けた場合であっても、透視性を有する部分から入り込んだ外光が適度に拡散し、透視性を有する部分を明るくし過ぎることなく、室内側の画像が見えづらくなることを防止することができる。
【発明を実施するための最良の形態】
【００１４】
まず、本発明の透視可能なデザインシートについて説明する。
【００１５】
本発明の透視可能なデザインシートは、面方向において隠蔽性を有する画像部分と透視性を有する部分とが周期的又はランダムに混在してなり、前記透視性を有する部分は、ヘーズ（ＪＩＳ  Ｋ７１３６：２０００）が２５〜８０％であることを特徴とするものである。以下、本発明の透視可能なデザインシートの実施の形態について説明する。
【００１６】
図１〜図６は、本発明の透視可能なデザインシートの実施の形態を示す断面図もしくは平面図である。図中、１の部分が隠蔽性を有する画像部分であり、２の部分が透視性を有する部分である。
【００１７】
隠蔽性を有する画像部分１は、室外からの光を遮断するとともに、室内及び／又は室外の者に画像を視認させる役割を有する。このような隠蔽性を有する画像部分１は、隠蔽性を有する部分１２に対応させるようにして画像１１を形成したもの（図１、図２）、画像１３自体に隠蔽性を具備させたもの（図３、図４）などがあげられる。
【００１８】
画像部分の画像は少なくとも一方の面から見ることができればよい。図１のタイプの場合、画像は一方の面からのみ見ることができる。また、画像は両方の面から見えるものでもよい。図２〜図４のタイプの場合、画像は両方の面から見ることができる。図２のタイプで、表裏で異なった画像を形成すれば、表裏で異なる画像を見ることができる。
【００１９】
透視性を有する部分２は、視認者とは反対側を見ることを可能とする役割を有する。さらに、本発明においては、透視性を有する部分は、画像を室内側に向けた場合であっても、室外が明るい日中に画像が見えづらくなることを防止する役割を有する。すなわち、本発明においては、透視性を有する部分のヘーズ（ＪＩＳ  Ｋ７１３６：２０００）を特定の範囲としたことから、透視性を有する部分から入り込んだ外光を適度に拡散させ、透視性を有する部分（明部）と画像部分（暗部）との明度差が大きくなることを防止し、画像部分が見えづらくなることを防止することができる。
【００２０】
透視性を有する部分のヘーズ（ＪＩＳ  Ｋ７１３６：２０００）は、２５〜８０％であり、４０〜７０％であることが好ましい。透視性を有する部分のヘーズを２５％以上とすることにより、透視性を有する部分から入り込んだ外光の拡散性を十分なものとし、画像が見えづらくなることを防止することができ、８０％以下とすることにより、光を拡散させ過ぎることなく、透視性を十分なものとすることができる。
【００２１】
また、透視性を有する部分は、全光線透過率（ＪＩＳ  Ｋ７３６１−１：１９９７）が５０％以上であることが好ましく、７０％以上であることがより好ましい。全光線透過率を５０％以上とすることにより、透視性を十分なものとすることができる。
【００２２】
また、透視性を有する部分は、両表面とも実質的に平滑であることが好ましい。具体的には、ＪＩＳ  Ｂ０６０１：２００１における算術平均粗さ（Ｒａ）が、０．３０μｍ以下、好ましくは０．１５μｍ以下であることが好ましい。透視性を有する部分を両面とも実質的に平滑にすることにより、透視性を十分なものとすることができる。
【００２３】
上述した隠蔽性を有する画像部分および透視性を有する部分は、透視可能なデザインシートの面方向において、周期的又はランダムに混在するように構成される。
【００２４】
このような透視可能なデザインシートは、例えば、（１）隠蔽性を有する画像部分と透明性を有する部分とが周期的又はランダムに混在されてなるシートを別途準備し、それを透視性を有しヘーズが２５〜８０％である光拡散性部材２１（以下、「光拡散性部材」と称す）と接着層３を介して貼り合わせること（図１、図２）、（２）光拡散性部材２１上に、隠蔽性を有する画像１３を周期的又はランダムに設けること（図３）、（３）透明基材１４上に、ヘーズが２５〜８０％の透視性を有する光拡散層２２を周期的又はランダムに設け、光拡散層以外の部分に、隠蔽性を有する画像１３を設けること（図４）、などにより得ることができる。
【００２５】
光拡散性部材としては、透明基材上に、バインダー樹脂及び光拡散剤とからなる光拡散層を設けたものや、バインダー樹脂を溶融し、これに光拡散剤を含有させてシート化させ、基材自体に光拡散性を持たせたものなどがあげられる。光拡散性部材のヘーズを２５〜８０％とするには、光拡散層の厚みや光拡散剤の添加量により調整することができる。例えば、光拡散層の厚みが１０μｍ程度である場合、バインダー樹脂１００重量部に対し、光拡散剤を４０〜２２０重量部含有することが好ましく、７０〜１７０重量部含有することがより好ましい。透明基材、バインダー樹脂、光拡散剤は従来公知のものを使用することができる。
【００２６】
隠蔽性を有する画像部分１は、光拡散性部材や透明基材上に、隠蔽層を周期的又はランダムに設け、隠蔽層に対応する部分に画像を形成したり、画像自体が隠蔽性を有する画像を周期的又はランダムに設けることにより形成することができる（図５）。画像の形状としては、ストライプ状、円形状、多角形状、不定形状などの形状があげられる。また、透視性を有する部分２が前述した形状となるように、画像の形状を前述した形状と逆のパターンとしてもよい（図６）。なお、画像を両側の面に設ければ、両方の面から画像を視認できるデザインシートとすることができる。また、画像が一方の面からのみ視認できるタイプのものの場合、隠蔽性を有する画像部分の画像が視認できる面とは反対側の面は、黒色又は暗褐色であることが好ましい。
【００２７】
このような画像の形成は、ＰＰＣ複写機、レーザービームプリンタ、インクジェットプリンタ、熱転写プリンタなど従来公知の記録装置により行うことができる。したがって、記録の対象となる光拡散性部材や透明基材は、各種記録装置に適した画像形成層を備えることが好ましい。画像形成層は、従来公知のものを採用することができる。
【００２８】
上述した（１）で使用される隠蔽性を有する画像部分と透明性を有する部分とが周期的又はランダムに混在されてなるシートは、透明基材に隠蔽性を有する画像部分を周期的又はランダムに形成したり、全面が隠蔽性を有する画像部分であるデザインシートに、周期的又はランダムに貫通孔を形成することにより得ることができる。
【００２９】
本発明の透視可能なデザインシートにおける隠蔽性を有する画像部分と透視性を有する部分との面積の割合は、隠蔽性を有する画像部分：透視性を有する部分を、４：１〜１：４とすることが好ましく、２：１〜１：２とすることがさらに好ましい。このような範囲とすることにより、画像の視認性と透視性とのバランスを良好に保つことができる。
【００３０】
隠蔽性を有する画像部分と透視性を有する部分とは、周期的又はランダムに混在するようにされてなるが、多数かつ細かく混在させることが好ましい。例えば、円形状、多角形状、不定形状に混在させる場合は、これら形状の直径を０．１〜８ｍｍとし、隣り合う形状の間隔を０．２〜５ｍｍとすることが好ましく、ストライプ状に混在させるには、ストライプの幅を０．１〜８ｍｍとし、隣り合うストライプの間隔を０．２〜５ｍｍとすることが好ましい。
【００３１】
また、透視性を有する部分の近赤外線透過率は、５０％以下であることが好ましい。透視性を有する部分の近赤外線透過率を５０％以下とすることにより、隠蔽性を有する画像部分だけでなく透視性を有する部分についても、室内に近赤外線が到達することを防止し、室温の上昇を抑えることができる。なお、隠蔽性を有する部分もいうまでもなく近赤外線透過率が５０％以下であることが好ましい。
【００３２】
透視性を有する部分の近赤外線透過率を５０％以下とするには、透視可能なデザインシート５の一方の面を、透明性を有する近赤外線吸収部材４により構成することが好ましい（図１）。
【００３３】
透明性を有する近赤外線吸収部材としては、透明基材上に、バインダー樹脂及び近赤外線吸収剤とからなる近赤外線吸収層を設けたものや、バインダー樹脂を溶融し、これに近赤外線吸収剤を含有させてシート化させ、基材自体に近赤外線吸収性を持たせたものなどがあげられる。近赤外線吸収部材の近赤外線透過率を５０％以下とするには、近赤外線吸収層の厚みや近赤外線吸収剤の添加量により調整することができる。例えば、近赤外線吸収層の厚みが１０μｍ程度である場合、バインダー樹脂１００重量部に対し、近赤外線吸収剤を０．５重量部以上含有することが好ましく、１重量部以上含有することがより好ましい。透明基材、バインダー樹脂、近赤外線吸収剤としては従来公知のものを使用することができる。
【００３４】
本発明の透視可能なデザインシートは、上述した各材料の劣化や画像の退色を防止するために、紫外線吸収剤を含有することが好ましい。紫外線吸収剤は、上述した各材料や画像を形成するインクなどに含有させることができる。あるいは、別途紫外線吸収部材を準備し、透視可能なデザインシートの一方又は両方の面を、紫外線吸収部材により構成してもよい。紫外線吸収剤や紫外線吸収部材は、従来公知のものを使用することができる。
【００３５】
以上のような透視可能なデザインシートは、窓ガラスに貼着して使用したり、後述するように、ロールカーテンのカーテンとして使用される。使用の際は、画像が室内側を向くようにして使用する。画像が両面に形成されている場合は、どちらの面を室内側としてもよい。
【００３６】
次に、本発明のロールカーテンについて説明する。
【００３７】
本発明のロールカーテンは、カーテンと、カーテンの巻き取り機構及び巻き解き機構とを備えてなるロールカーテンにおいて、前記カーテンとして本発明の透視可能なデザインシートを用いてなることを特徴とするものである。以下、本発明のロールカーテンの実施の形態について説明する。
【００３８】
カーテンとしては、上述した本発明の透視可能なデザインシートを用いる。このように、本発明においては、カーテンとして、透視性を有する部分のヘーズが２５〜８０％のものを用いていることから、透視性を十分なものとするとともに、透視性を有する部分から入り込んだ外光の拡散性を十分なものとし、画像が見えづらくなることを防止することができる。
【００３９】
カーテンの巻き取り機構及び巻き解き機構としては、手動式や電動式など従来公知の機構を採用することができる。
【００４０】
図７は、手動式のロールカーテン６の実施の形態を示す斜視図である。図中では、ロールカーテン６を窓枠に取付けるためのセットフレーム６１の両端にサイドプレート６２が設けられている。サイドプレート６２には、巻取パイプ６３が回転可能に支持されている。巻取パイプ６３には、カーテン６４の一端側が巻き取り又は巻き解き可能に連結されている。カーテン６４の他端側はウエイトバー６５に連結されている。ウエイトバー６５の中央部下端には、引手６６が取り付けられている。引手６６には、プルコード６７の一端が巻き取り又は巻き解き可能に連結されている。プルコード６７の他端にはつまみ６８が設けられている。
【００４１】
図７のロールカーテンの動作を説明する。まず、巻取パイプに完全に巻き取られているカーテンを巻き解く（下降させる）場合は、まずプルコードのつまみを引き下ろす。そして、ロールカーテンに設けられているストッパ（図示せず）によってカーテンを固定する。カーテンを上昇させる場合は、ウエイトバーの引手を引いてロールカーテンのストッパを解除する。これにより、巻取パイプはこれに設けられている巻取ばね（図示せず）によりカーテンを巻き取る方向に回転し、カーテンは上昇していく。
【実施例】
【００４２】
以下、実施例により本発明を更に説明する。なお、「部」、「％」は特に示さない限り、重量基準とする。
【００４３】
［実施例１］
厚み１００μｍの白色隠蔽性フィルム（Ｗ３００：三菱化学ポリエステルフィルム社）上に、下記の組成のインク受容層塗布液を乾燥後の厚みが８μｍとなるように塗布、乾燥し、インク受容層を形成した。
【００４４】
＜インク受容層塗布液＞
・ポリビニルアルコール              ６部
（ゴーセノールKP-06：日本合成化学工業社）
・ポリビニルアルコール              ４部
（ゴーセノールNH-18：日本合成化学工業社）
・水                              ９０部
・シリカ                          １０部
（サイリシア435：富士シリシア化学社）
【００４５】
次いで、インク受容層の他方の面に、下記組成の接着層塗布液を乾燥後の厚みが５μｍとなるように塗布、乾燥して黒色の接着層を形成した。
【００４６】
＜接着層塗布液＞
・アクリル系接着剤                ５０部
（リキダインAR2008：ビックテクノス社）
・カーボンブラック                  ２部
【００４７】
次いで、パンチプレスで直径２ｍｍの貫通孔を、貫通孔の間隔が１ｍｍとなるように周期的に形成した。
【００４８】
次いで、接着層上にインク吸収性を有するセパレータ（バイナシート110H-018：藤森工業社）をラミネートした後、インク受容層側に、インクジェットプリンタ（ＢＪＣ−４２０Ｊ：キヤノン社）で画像を出力した。
【００４９】
次いで、インク吸収性を有するセパレータを除去して接着層を露出させ、透明基材上に光拡散層を有してなる光拡散性部材ａ（ライトアップLS：きもと社）の透明基材側とを貼り合わせた。
【００５０】
次いで、光拡散性部材ａの光拡散層側に、接着層を有してなる近赤外線吸収部材（エコシュールT75：きもと社）の接着層を貼り合わせ、実施例１の透視可能なデザインシートを得た。
【００５１】
次いで、市販のロールカーテンのカーテンに実施例１の透視可能なデザインシートを組み込み、実施例１のロールカーテンを得た。
【００５２】
［実施例２］
実施例１の光拡散性部材ａを、光拡散性部材ｂ（ライトアップMX：きもと社）に変更した以外は、実施例１と同様にして実施例２の透視可能なデザインシートおよびロールカーテンを得た。
【００５３】
［比較例１］
実施例１の光拡散性部材ａを、光拡散性部材ｃ（ライトアップTL4：きもと社）に変更した以外は、実施例１と同様にして比較例１の透視可能なデザインシートおよびロールカーテンを得た。
【００５４】
［比較例２］
実施例１の光拡散性部材ａを、光拡散性部材ｄ（ケミカルマットMTN-W7：きもと社）に変更した以外は、実施例１と同様にして比較例２の透視可能なデザインシートおよびロールカーテンを得た。
【００５５】
実施例および比較例で得られた透視可能なデザインシートの透視性を有する部分について、ヘーズ、全光線透過率、近赤外線透過率を測定した。いずれの測定も、近赤外線吸収部材側を光の入射面として測定を行った。また、透視性を有する部分の両表面（光拡散性部材の透明基材の表面および近赤外線吸収部材の表面）の算術平均粗さ（Ｒａ）を測定した。結果を表１に示す。なお、表１中のＲａについては、上側の数値が光拡散性部材の透明基材の表面のＲａである。
【００５６】
また、実施例および比較例で得られた、透視可能なデザインシートおよびロールカーテンを、画像が室内側となるように昼間の窓に設置し、以下の項目の評価を行った。結果を表１に示す。
【００５７】
（１）画像の見やすさ
室内側からの画像の見やすさを目視で評価した。その結果、画像が良好に見えるものを「○」、画像が見づらいものを「×」とした。
【００５８】
（２）透視性
室外側からの室内の見やすさを目視で評価した。その結果、室内が良好に見えるものを「○」、室内が見えないものを「×」とした。
【００５９】
【表１】
2006178129.tif 000003
【００６０】
実施例１、２の透視可能なデザインシートおよびロールカーテンは、いずれのものも透視性を有する部分のヘーズが２５〜８０％の範囲のものであることから、透視性を備えつつ、画像を室内側に向けた場合であっても、透視性を有する部分から入り込んだ外光を適度に拡散させ、透視性を有する部分を明るくし過ぎることなく、室内側の画像が見えづらくなることを防止できるものであった。また、実施例１、２の透視可能なデザインシートおよびロールカーテンは、透視性を有する部分の近赤外線透過率が５０％以下であり、室温の上昇を防止することができるものであった。
【００６１】
一方、比較例１の透視可能なデザインシートおよびロールカーテンは、透視性を有する部分のヘーズが２５％未満であることから、透視性を有する部分から入り込んだ外光を十分に拡散させることができず、室内側の画像が見づらいものであった。
【００６２】
比較例２の透視可能なデザインシートおよびロールカーテンは、透視性を有する部分のヘーズが８０％より大きいものであることから、光を拡散させ過ぎ、透視性を有さないものであった。
【図面の簡単な説明】
【００６３】
【図１】本発明の透視可能なデザインシートの一実施例を示す断面図
【図２】本発明の透視可能なデザインシートの他の実施例を示す断面図
【図３】本発明の透視可能なデザインシートの他の実施例を示す断面図
【図４】本発明の透視可能なデザインシートの他の実施例を示す断面図
【図５】本発明の透視可能なデザインシートの一実施例を示す平面図
【図６】本発明の透視可能なデザインシートの他の実施例を示す平面図
【図７】本発明のロールカーテンの一実施例を示す斜視図
【符号の説明】
【００６４】
１・・・・隠蔽性を有する画像部分
１１・・・画像
１２・・・隠蔽層
１３・・・隠蔽性を有する画像
１４・・・透明基材
２・・・・透視性を有する部分
２１・・・光拡散性部材
２２・・・光拡散層
３・・・・接着層
４・・・・近赤外線吸収部材
５・・・・透視可能なデザインシート
６・・・・ロールカーテン
６１・・・セットフレーム
６２・・・サイドプレート
６３・・・巻取パイプ
６４・・・カーテン
６５・・・ウエイトバー
６６・・・引手
６７・・・プルコード
６８・・・つまみ
【図１】
2006178129.tif 000004
【図２】
2006178129.tif 000005
【図３】
2006178129.tif 000006
【図４】
2006178129.tif 000007
【図５】
2006178129.tif 000008
【図６】
2006178129.tif 000009
【図７】
2006178129.tif 000010